(57)【特許請求の範囲】
【請求項１】
飛来種子を捕捉して緑化対象地を緑化するため空中散布される航空実播緑化用の植生袋体であって、植生基材と、これが充填された袋体本体とを含み、平面視形状が環状に成形されていることを特徴とする航空実播緑化用の植生袋体。
【請求項２】
飛来種子を捕捉して緑化対象地を緑化するにあたり、植生基材が充填された袋体本体を平面視形状が環状の緑化用の植生袋体に成形する工程と、この緑化用の植生袋体を緑化対象地に空中散布する工程とを含むことを特徴とする航空実播緑化方法。
【発明の詳細な説明】
【技術分野】
【０００１】
この発明は、航空実播緑化用の植生袋体および航空実播緑化方法に関するものである。
【背景技術】
【０００２】
航空実播工による緑化では、製品内に種子を導入することが前提になり、緑化対象地全体に散布できることからスラリーによる工法が一般的である。しかし、スラリーによる工法は降雨などの影響により散布した種子・資材の流失や乾燥の影響を受け易い欠点がある。そのため、下記特許文献１，２，３に示すように、種子・肥料等の植生基材を充填し、散布するペレット状や円柱状、土のう状、平たい袋状の製品も開発されている。
【先行技術文献】
【特許文献】
【０００３】
【特許文献１】特開平９−１０３１２５号公報
【特許文献２】特開平６−１５３６１９号公報
【特許文献３】実開平５−４３８０７号公報
【発明の概要】
【発明が解決しようとする課題】
【０００４】
しかし、スラリーによる工法と同様に製品内に導入した種子により早期緑化することを目的とした特許文献１，２，３に示す航空実播工法でも、国立公園や県立公園などでは現地生態系を攪乱する恐れがあるため、製品内に種子を導入せず自生する個体のみによる緑化を行うことが求められる。
【０００５】
また、従来の工法にて製品内に種子を導入しない無播種緑化を行うと、前記スラリー散布工では緑化が進む前に降雨などで資材が流出することや乾燥害を受けやすい。
【０００６】
一方、特許文献１，２，３に示されたペレット状や円柱状、土のう状、平たい袋状の製品では、地面の凹凸への密着性、環境に対する耐久性が低く、素材とその構造から侵入した種子の定着性も低い。これは、特許文献１，２，３に示す従来の航空実播工法が、製品内に導入した種子により早期緑化することを目的としており、素材の分解速度が速すぎる点や、袋体自体やペレット自体が、落下衝撃や着地後に降水などの影響により移動するため、侵入した種子が定着する空間を作れないという構造上の問題を抱えている点が主たる要因であり、結果として、特許文献１，２，３に示す製品は、自然回復緑化に寄与する能力が低い。
【０００７】
この発明は、上述の事柄に留意してなされたもので、航空実播工において、浸食防止機能を有しながら周辺植生からの飛来種子を有効的に捕捉（捕獲）し、発芽生育させることにより現地周辺植生を自然回復することができる航空実播緑化用の植生袋体および航空実播緑化方法を提供することである。
【課題を解決するための手段】
【０００８】
本発明者らは、上記目的を達成するために、主として以下の課題を解決すべく鋭意研究を積み重ねた。種子を導入しない自然回復緑化、いわゆる待ち受け型緑化は植生の定着まで時間を要する工法であり、航空実播工を行うような地理的地形的条件の悪い現場では更に時間を要する工法である。国立公園や県立公園などにて自然回復緑化を行うには環境負荷をかけずに実行するため、用いる全材料が分解することは必須であるが、侵入した種子が定着・生長するためには、（１）製品内に導入した種子により早期緑化することを目的とした従来の航空実播工で用いる袋体本体の分解速度に比べて、植生基材を充填した袋体自体（袋体本体）の分解速度は遅く、袋体自体の形態を維持し続ける強度を有し、かつ、（２）法面のように整形されていない凹凸のある地山に対し密着性の高い軟らかい素材である必要がある。（３）使用する植生基材も一度に大量に散布できるよう軽量で、吸水後の膨張により厚みが形成されることや乾燥の強い崩壊地における高い保水力が求められる。（４）散布後の動静は全て環境に依存することになり、上述したような、ペレット状や円柱状、土のう状、平たい袋状の製品では、構造上種子を捕捉するための機能はなく自然回復緑化に寄与する能力は低い。
【０００９】
かくして、この発明は、飛来種子を捕捉して緑化対象地を緑化するため空中散布される航空実播緑化用の植生袋体であって、植生基材と、これが充填された袋体本体とを含み、平面視形状が環状に成形されていることを特徴とする航空実播緑化用の植生袋体（請求項１）を提供する。
【００１０】
また、この発明は別の観点から、飛来種子を捕捉して緑化対象地を緑化するにあたり、植生基材が充填された袋体本体を平面視形状が環状の緑化用の植生袋体に成形する工程と、この緑化用の植生袋体を緑化対象地に空中散布する工程とを含むことを特徴とする航空実播緑化方法（請求項２）を提供する。
【００１１】
この発明において、平面視形状が環状とは、端部と端部を連結してある無端状のものを意味する。そのような平面視形状のものとしては、例えば、円形状、楕円形状、三角形状や四角形状のような多角形形状、眼鏡形状を挙げることができる。この発明の平面視形状が環状の植生袋体（平面視形状が環状の緑化用の製品）は、平面視形状が端部と端部が連結されていない円柱状、土のう状、平たい袋状のような従来製品と異なり、飛来種子を捕捉し易い領域および植生が侵入・定着し易い空間を持っており、その特異なリング形状の構造からして、飛来種子による周辺植生の侵入・定着性が従来製品に比べて遙に高い。平面視形状が三角形（三角形状）の環状に成形された植生袋体１（図１〜図４参照）を例にとると、植生袋体１で囲われた部分全体が飛来種子の種子捕捉（捕獲）領域〔種子侵入領域〕Ｓとなる。同様に、平面視形状が例えば四角形（四角形状）の環状に形成されている植生袋体１（図５参照）で囲われた部分全体が飛来種子の種子捕捉（捕獲）領域〔種子侵入領域〕Ｓとなる。そして、植生袋体１で囲われた部分全体を飛来種子の種子捕捉（捕獲）領域〔種子侵入領域〕Ｓとする構成は、上述したような、ペレット状や円柱状、土のう状、平たい袋状の従来製品では存在しなかったものである。
【００１２】
この発明における植生基材としては、肥料、保水材などの公知の資材を挙げることができる。これらはいずれも分解する資材である。そして、捕捉（捕獲）した飛来種子（種子捕捉領域Ｓに侵入した飛来種子）の発芽、生長を担う前記植生基材に求められる条件、すなわち、一度に大量に空中散布できるよう軽量で、吸水後の膨張により厚みが形成されること、乾燥の強い崩壊地において高い保水力が発揮されることを満たすため、以下のように構成される。保水材などの資材もピートモスもしくはココピートや高分子保水材を使用し保水性を高め、吸水により厚み（例えば約５０ｍｍ）がでる構造になっている。この厚みが適度な日除けを形成し、飛来種子の周辺環境を乾燥から守って発芽を促進する効果を高めている。前記植生基材は、水分をできるだけ少なくして比重を軽くしておくのが好ましい。
【００１３】
さらに、この発明における植生基材としては、微生物資材を挙げることができる。これは、種子捕捉領域Ｓに侵入した飛来種子が生長する際に例えば植物の根に取りついて共生する。
【００１４】
この発明における袋体本体としては、ヤシ、麻等の天然系の素材、あるいは、生分解性プラスチックである例えばポリ乳酸系やレーヨン系の素材を用いて得られる例えば不織布を挙げることができる。これらはいずれも分解する素材である。ところで、製品内に導入した種子により早期緑化することを目的とした従来の航空実播工では、例えば雨水が供給されると容易に溶解する水溶性薄膜で袋体本体を構成している。しかし、植生基材を充填した袋体本体であっても従来の航空実播工とは緑化の目的が異なるこの発明の待ち受け型航空実播工では、種子捕捉領域Ｓに侵入した飛来種子が定着・生長するためには袋体本体の素材として、従来の航空実播工で用いられた前記水溶性薄膜に比べて分解速度の遅いものを用いるのが有利である点からして、この発明では、前記水溶性薄膜に比べて遙に分解速度は遅く長期にわたり袋体本体の形態を維持しうる前記生分解性プラスチック素材を用いるのが好ましい。
【発明の効果】
【００１５】
袋体本体内に導入した種子により早期緑化することを目的とした従来の航空実播工とは緑化の目的が異なるこの発明では、航空実播緑化において、浸食防止機能を有しながら周辺植生からの飛来種子を有効的に捕捉（捕獲）し、発芽生育させることにより現地周辺植生を自然回復することができる。すなわち、従来の航空実播工にて製品内に種子を導入しない無播種緑化を行うと、スラリー散布工では緑化が進む前に降雨などで資材が流出することや乾燥害を受けやすく、上述した他の従来の航空実播工（端部と端部が連結されていないペレット状、円柱状、土のう状、平たい袋状のような製品を用いる航空実播工）では、地面の凹凸への密着性、環境に対する耐久性が低く、その構造からして前記種子捕獲領域Ｓに相当するものが存在しないので、侵入した飛来種子の定着性も低い。一方、この発明では、植生基材が充填された袋体本体を平面視形状が環状の航空実播緑化用の植生袋体に成形しており、これはその構造上飛来種子が定着する空間を形成し、自然回復緑化に寄与する能力は高い。すなわち、前記植生袋体を平面視形状が例えば三角形（図１〜図４参照）や四角形（図５参照）のドーナッツ状構造にしたので、如何なる着地においても必ず飛来種子の侵入し易い領域、すなわち、端部と端部が連結されていないペレット状、円柱状、土のう状、平たい袋状のような従来製品には存在しなかった、飛来種子が溜まる種子捕捉領域Ｓが存在することになる。このように、前記植生袋体で囲われた部分全体を飛来種子の種子捕捉領域Ｓとすることができる上に、この発明ではさらに、前記植生袋体は、端部と端部が連結されていないペレット状、円柱状、土のう状、平たい袋状のような従来製品と異なり、ドーナッツ状の構造を有しており、これにより植生袋体の落下衝撃を抑えることができるとともに、自重による移動を少なくすることができ、ドーナッツ状構造の前記植生袋体が輪投げのように、緑化対象地Ｎ（図１参照）に形成されている僅かな突起８に引っかかることで、植生袋体１を緑化対象地Ｎから流失しにくくでき、結果として飛来種子の種子捕捉領域Ｓへの侵入及び植生の植物生育領域（後述する）Ｓ1 ，Ｓ2 （図４参照）への定着性が高いという相乗効果を奏する。
【００１６】
例えば前記突起８に引っかかったこの発明の航空実播緑化用の植生袋体においては、そのドーナッツ状の構造からして、四方八方から吹いてくる風に乗って飛来する種子が、そこから発芽・生育する日陰となるきわ（植物生育領域Ｓ1 ，Ｓ2 ）に、風の影響を受けても最終的に溜まっていく。すなわち、前記植物生育領域Ｓ1 ，Ｓ2 は、緑化対象地Ｎに置かれた植生袋体１の内側、外側に形成される環状のきわよりなる。つまり、植物生育領域Ｓ1 ，Ｓ2 は、前記植生袋体１と緑化対象地Ｎ間の内側及び外側に形成される隙間（空間）の存在する領域であって、植物生育領域Ｓ1 ，Ｓ2 は、その内側、外側を問わず植生袋体１周りに環状で連続して存在する。緑化対象地Ｎに置かれた例えば図５に示す四角形構造の植生袋体１には、内側、外側を問わずそれぞれ略同じ長さの４つの植物生育領域Ｓ1 ，Ｓ2 が存在する。また、緑化対象地Ｎに置かれた例えば図２〜４に示す構造の植生袋体１には、内側、外側を問わず略同じ長さの３つの植物生育領域Ｓ1 ，Ｓ2 が存在する。そして、飛来種子は、風の影響を受けてもこれら多数の植物生育領域Ｓ1 ，Ｓ2 のうち少なくともいずれかの植物生育領域Ｓ1 ，Ｓ2 に、最終的に溜まっていく。そして、その後、植生袋体内に充填されている例えば肥料が植生袋体の前記内側に存在している植物生育領域Ｓ1 、前記外側に存在している植物生育領域Ｓ2 を問わずこれら植物生育領域Ｓ1 ，Ｓ2 へと流れ出して、いずれかの植物生育領域Ｓ1 ，Ｓ2 に溜まっている飛来種子が発芽・生育し、その結果、きわ（日陰）からの緑化が達成できる。
【００１７】
種子捕獲領域Ｓが存在しないペレット状、円柱状、土のう状、平たい袋状の従来製品に比べて、この発明の航空実播緑化用の植生袋体は、端部と端部が連結されているドーナッツ状の構造上、飛来種子が侵入し易い（飛来種子の侵入性が高い）種子捕捉領域Ｓが植生袋体で囲われた部分全体（植生袋体の環状内部）に存在することから、植生袋体の前記内側（環状内部）に存在する植物生育領域Ｓ1 、すなわち、種子捕捉領域Ｓに含まれる植物生育領域Ｓ1 からの緑化が確実に行える。ところで、種子捕捉領域Ｓには勿論飛来種子が溜まり易くなるが、それ以外にも植生定着のため土の粒子や落ち葉など色々な堆積物が緑化対象地における前記種子捕捉領域Ｓに堆積し易くなり、これによって緑化対象地における他の地面よりも種子捕捉領域Ｓを含む地面の方が植物が生育し易くなるという効果がある。すなわち、前記堆積物が種子捕捉領域Ｓにおける植物の生育基盤となることから、種子捕獲領域Ｓにおける植物生育環境の良好化を達成することができる。
【００１８】
さらに、従来製品でも、この発明の航空実播緑化用の植生袋体でも、風が吹いているときに風向きの影響を受けてそこに溜まっている飛来種子がそこから飛び散ってしまう植物生育領域はあるが、例えば円柱状の従来製品の長手方向（軸方向）に沿って存在する左右一対の植物生育領域に溜まっている飛来種子の場合では、前記長手方向に沿って風が吹くと、防ぎようがないので、飛来種子の全てが一度に吹き飛ばされるおそれがあるのに対し、この発明の航空実播緑化用の植生袋体では、ドーナッツ状の構造上、風が吹いているときに風向きの影響を受ける植物生育領域と同時に影響を受けない植物生育領域が略同じくらい（略半分半分）あるので、円柱状の従来製品のように飛来種子の全てが一度に吹き飛ばされるおそれはない。特に、この発明の航空実播緑化用の植生袋体では、植生袋体の前記外側に存在する植物生育領域Ｓ2 よりも前記内側に存在する植物生育領域Ｓ1 の方が、刻々変化する風向きに対応し易く、風の影響を受けにくい領域となっている。例えば図５に示すように、植生袋体の前記内側に存在する複数の植物生育領域Ｓ1 ，Ｓ1 ，Ｓ1 ，Ｓ1 のうち風の影響を受ける植物生育領域Ｓ1 ，Ｓ1 から、飛来種子が、植生袋体の袋体本体によって形成される囲いを越えて植生袋体の外方へ飛び散り去ったとしても、風向きの影響を受けにくかった植物生育領域Ｓ1 ，Ｓ1 が例えば半分の数だけ残っており、残りのその植物生育領域Ｓ1 ，Ｓ1 に溜まっている飛来種子は飛び散りを免れるという風向き対応型の構造をこの発明の航空実播緑化用の植生袋体は有する。したがって、竜巻のような特殊な風向きの自然現象を除いて、植生袋体の環状内部に存在する種子捕捉領域Ｓに含まれる植物生育領域Ｓ1 に溜まっている飛来種子が全て同じ方向の風で一度に吹き飛ばされる確率は、風向き具合によっては複数の植物生育領域に溜まっている飛来種子の全部が一度に吹き飛ばされるペレット状、円柱状、土のう状、平たい袋状のような従来製品に比べて小さくできる。また、風向きが例えば正反対に変われば風の影響を受けたところの、植生袋体の環状内部に存在する植物生育領域Ｓ1 ，Ｓ1 にもまた飛来種子が溜まることから、最終的に飛来種子は前記環状内部に存在する多数の植物生育領域Ｓ1 に徐々に且つ確実に溜まっていき、風向きに左右されることなく対応できるという利点を有し、飛来種子の侵入性と同時に植生の定着性もより高くすることができる。図３，４の植生袋体についても同様のことが言える。
【図面の簡単な説明】
【００１９】
【図１】この発明の一実施形態に係る、平面視形状が三角形に成形されている航空実播緑化用の植生袋体の空中散布における作業状態を示す図である。
【図２】上記実施形態を収納状態から成形品とするまでの組付け工程を示す構成説明図である。
【図３】（Ａ）は、空中散布後の上記実施形態の緑化対象地への引っ掛かり状態を示す図である。（Ｂ）は、緑化対象地上の上記実施形態への吸水状態を示す構成説明図である。（Ｃ）は、緑化対象地上の上記実施形態の吸水後の膨張により厚みが形成された状態を示す構成説明図である。（Ｄ）は、緑化対象地上の厚みが形成された上記実施形態のきわに日陰が形成されている状態を示す構成説明図である。
【図４】上記実施形態における種子捕捉（捕獲）領域と植物生育領域を説明するための概略斜視図である。
【図５】この発明の他の実施形態に係る、平面視形状が四角形に成形されている航空実播緑化用の植生袋体を示す平面図である。
【発明を実施するための形態】
【００２０】
図１〜図４は、植生基材と、これが充填された袋体本体とを含み、平面視形状が三角形の環状に成形され、その環状内部を飛来種子の種子捕捉（捕獲）領域とするこの発明の一実施形態を示す。図１〜図４において、航空実播緑化用の植生袋体１は、飛来種子を捕捉（捕獲）して緑化対象地Ｎを緑化するため空中散布されるものである。前記植生袋体１は、肥料２、保水材３などの公知の資材よりなる植生基材４と、これが充填された袋体本体５とを含み、平面視形状が三角形（環状の一例）に成形され、その環状内部を飛来種子の種子捕捉（捕獲）領域〔種子侵入領域〕Ｓとすることを特徴としている。この実施形態では、植生袋体１は、袋体本体５としての生分解性プラスチックよりなる不織布袋（直径約５０ｍｍ、長さ約１０００ｍｍ）の中に、肥料２、保水材３などの公知の資材を充填してなる。
【００２１】
上記構成の植生袋体１の成形手順を含め空中散布するまでの手順を図２，３に基づいて以下に説明する。（１）両矢印Ａで示す長手方向における両端開口、あるいは一端開口を有する前記不織布袋（長手方向の長さ約１０００ｍｍ）５の中に、前記開口から肥料２、保水材３を含む植生基材４を充填するとともに、植生基材４が充填された袋体本体５を３分割するため不織布袋５の中央２箇所Ｂ，Ｃを絞るように細めてそれぞれの箇所Ｂ，ＣにＣリング６，６を取り付け、最後に縫着により袋体本体５の前記開口を封止する。なお、Ｃリング６を取り付ける代わりに、ヒートシールあるいは針金を用いる等により絞るようにしてもよい。このようにして得られた多数本の直線状の基体７を梱包したものを空中散布するに足りる数だけ用意し、これらを現地に搬送する。（２）現地において前記基体７の端部ｍと端部ｎを連結して前記基体７を平面視形状が三角形の前記植生袋体１に成形する。この場合、連結手段としては、例えば接着による連結でもよいし、ヒートシールによる連結でもよいし、簡易なものとしてはステープルによる連結でもよい。６’は連結部分である。（３）平面視形状が三角形に成形された多数個の前記植生袋体１を例えばヘリコプターＨに積み込んでこれらを緑化対象地Ｎに空中散布する。
【００２２】
上記構成を有するこの実施形態では、前記袋体本体５の材料として、分解する材料を使用しているので、環境負荷を軽減することができる。また、植生基材４と袋体本体５として、できるだけ軽量な素材のものを選択しており、軽量かつドーナッツ状の前記植生袋体１の構造が落下衝撃を抑えるとともに、自重による移動が少なく、ドーナッツ状構造が輪投げのように僅かな突起８に引っかかること〔図３（Ａ）参照〕で、緑化対象地Ｎから流失し難くすることができる。前記植生袋体１自体も柔軟性に富み、凹凸の激しい崩壊地斜面において、端部と端部が連結されていないペレット状、円柱状、土のう状、平たい袋状のような従来製品よりも密着性が非常に高い構造になっている。
【００２３】
そして、前記植生袋体１を平面視形状が例えば三角形のドーナッツ状構造にしたので、如何なる着地においても必ず飛来種子の捕捉領域が前記植生袋体１の内側に形成され、また、植生が生育し易い空間が、前記植生袋体１の内側（植生袋体１の環状内部）、外側（植生袋体１の環状外部）に存在することになる。すなわち、前記植生袋体１で囲まれた部分全体を、飛来種子の侵入し易い領域（飛来種子が溜まり易い種子捕捉領域）Ｓとすることができるとともに、植生の定着し易い領域（種子捕捉領域Ｓに含まれる植物生育領域Ｓ1 ）が前記植生袋体１の環状内部に存在することになる。また、植物生育領域Ｓ2 が前記植生袋体１の環状外部に存在することになる。そして、図３（Ｂ）に示す降雨Ｒ等に遇った空中散布後の前記植生袋体１は、図３（Ｃ）、図４に示すように、環状のきわである植物生育領域Ｓ1 ，Ｓ2 のうち、特に植生袋体１の環状内部に存在する植物生育領域Ｓ1 から主として発芽することになる。この場合、保水材３などの資材もピートモスもしくはココピートや高分子保水材を使用して保水性を高めているので、前記植生袋体１は降雨Ｒ等による吸水により、図３（Ｃ）に示すように厚み（例えば約５０ｍｍ）ｄがでる。この厚みｄが前記植生袋体１の植物生育領域Ｓ1 ，Ｓ2 〔図３（Ｄ）、図４参照〕に日光Ｐを遮る適度な日除けを形成し、飛来種子を乾燥から守る効果を高めることができる。つまり、前記植生袋体１は、前記従来製品よりも自然回復緑化に対し、高い能力を有する製品であり、資材の流出や崩壊の増長を抑制し、高い地山への密着性・保水性を有する製品であり、待ち受け型航空実播工として非常に効果の高い製品である。
【００２４】
而して、図２〜図４に示す構造の植生袋体１には、植生袋体１の環状外部に存在する植物生育領域Ｓ2 、植生袋体１の環状内部に存在する植物生育領域Ｓ1 を問わず略同じ長さの３つの植物生育領域が存在する。図２において、Ｌは植生袋体１の一辺の外側（環状外部）に存在する植物生育領域Ｓ2 の長さであり、また、Ｍ（≒Ｌ）は植生袋体１の一辺の内側（環状内部）に存在する植物生育領域Ｓ1 の長さである。なお、３分割後の全長が９８０ｍｍの基体７を略正三角形状に成形した場合の植生袋体１の高さａ（図１参照）は３００ｍｍであり、一辺の長さｂは３３０ｍｍ位になる。そして、飛来種子は、これら６箇所の植物生育領域Ｓ1 ，Ｓ2 のうち少なくともいずれかの植物生育領域に、風の影響を受けても最終的に溜まっていく。特に、種子捕獲領域Ｓに含まれる植物生育領域Ｓ1 は植生基材４が充填された植生袋体１の袋体本体５によって形成される囲いによって、植生基材４が充填された植生袋体１の袋体本体５に囲われていない植物生育領域Ｓ2 に比べて、風の影響を受け難く、そのため植物生育領域Ｓ2 に比べて植物生育領域Ｓ1 に飛来種子は溜まり易い。その後、袋体本体５内に充填されている例えば肥料２の成分が植生袋体１の植物生育領域Ｓ1 、植物生育領域Ｓ2 を問わずこれら植物生育領域Ｓ1 ，Ｓ2 へと流れ出して、いずれかの植物生育領域に溜まっている飛来種子が発芽・生育し、その結果、緑化対象地Ｎに置かれた植生袋体１のきわ（日陰）からの緑化が達成できる。
【００２５】
図５は、平面視形状が四角形に成形されているこの発明の他の実施形態を示す。図４において、図１〜図４に示した符号と同一のものは同一または相当物である。
【００２６】
この実施形態では、植生袋体１を四角形のドーナッツ状構造にしている。この構造の特徴は上記実施形態と同様、従来製品には存在しなかった種子捕捉領域Ｓを持っていることである。特に、緑化対象地Ｎに置かれた植生袋体１の環状内部のきわ（日陰）に、種子捕捉領域Ｓに含まれる植物生育領域Ｓ1 が存在しており、その植物生育領域Ｓ1 は、植物生育領域Ｓ2 に比べて、植生袋体１の袋体本体５によって形成される囲いによって風の影響を受け難く、そのため植物生育領域Ｓ2 に比べて植物生育領域Ｓ1 に飛来種子は溜まり易い。このように、上記実施形態と同様に、如何なる着地においても必ず飛来種子を侵入し易く、かつ植生を定着し易くしうる構造をこの実施形態は持っている。また、多数個の前記植生袋体１を例えばヘリコプターＨに積み込むにあたり、平面視形状が四角形に成形されているので、例えば横一列や縦一列のように前記植生袋体１それぞれを直線状に収納でき、一度に多くの前記植生袋体１を散布することができる。なお、４分割後の全長が９６０ｍｍの基体７を略正方形状に成形した場合の植生袋体１の高さａ’は２８０ｍｍであり、一辺の長さｂ’は２７０ｍｍ位になる。６’は連結部分である。
【００２７】
なお、この発明では、航空実播緑化用の植生袋体の形状が、平面視形状が環状に成形され、環状内部を飛来種子の種子捕捉（捕獲）領域とするものであれば、いかなる形状のものでもよいが、特に平面視形状が三角形（三角形状）の環状に成形されるものが望ましい。すなわち、前記植生袋体は、ドーナッツ状の構造を有しており、これにより植生袋体の地面への落下衝撃を抑えることができるとともに、自重による移動を少なくすることができ、ドーナッツ状構造の前記植生袋体が輪投げのように、緑化対象地に形成されている僅かな突起に引っかかることで、植生袋体を緑化対象地から流失しにくくできるという特性を備えているが、図４にも示すように、平面視形状が三角形（三角形状）の環状に成形された植生袋体１の方が、平面視形状が四角形（四角形状）以上の多角形状の環状に成形された植生袋体や、平面視形状が円形状、楕円形状、眼鏡形状の環状に成形された植生袋体に比べて、空中から散布した場合にその環状形状を維持し易く、確実に種子捕捉領域を形成することができるため好適である。
【００２８】
四角形（四角形状）以上の多角形状や、円形状、楕円形状、眼鏡形状のような三角形（三角形状）以外の形状のものに比べて、三角形（三角形状）の方が構造上強度的に強いことが建築等の分野で明らかであることから、三角形（三角形状）以外の形状のものに比べて空中散布後にその環状形状（三角形形状）を歪める程度の変形が発生する可能性をできるだけ少なくできるという特性を平面視形状が三角形（三角形状）の環状に成形された植生袋体は有する。これに対し、例えば平面視形状が四角形（四角形状）の環状に成形された植生袋体では、地面への落下衝撃によって四角形状から偏平な形状に変形するおそれがあり、その結果、飛来種子が溜まり易い（侵入し易い）種子捕捉領域の面積が空中散布の前に比べて小さくなり、最悪の場合、空中散布後の植生袋体の種子捕捉領域の面積が殆ど無くなってしまうおそれがある。すなわち、飛来種子をできるだけ多く溜まりやすくするために必要な面積を備えた種子捕捉領域が形成され難くなる。
【００２９】
また、平面視形状が例えば円形状の環状に成形された植生袋体では、植生基材の固さ具合にもよるが、植生袋体が極めて固い場合には緑化対象地の地形によっては、例えば落下した地面が傾斜面のような場合、植生袋体は傾斜面をまるでタイヤのように正立状態で転がり続けるおそれがある（自重による移動距離が長くなる）が、平面視形状が三角形（三角形状）の環状に成形された植生袋体は、その一辺（３３０ｍｍ）が例えば四角形（四角形状）の一辺（２７０ｍｍ）に比べても長く、また、円形状のような曲線からは程遠い形状をしており、かつ少なくとも鋭い二つの角部（エッジ）を有することから、これらの要因が重なって円形状のもののようには転がらず正立状態で落下しても直ぐに倒れやすくなるとともに、円形状のもの程ではないにしても楕円形状や例えば五角形状、六角形状、…のような円形状に近い形状の植生袋体に比べても三角形（三角形状）の方が転がり難く、さらには、種子捕捉領域が三角形（三角形状）なので、それ以外の形状のものに比べて突起８に、より引っかかり易いという特性を平面視形状が三角形（三角形状）の環状に成形された植生袋体は有する。
【００３０】
上述の様に、この発明に係る植生袋体の平面視形状を三角形（三角形状）としたことによる効果は以下のとおりである。（１）その構造上、例えば四角形（四角形状）の場合と比較して変形し難く、環状形状を維持し易いので、空中散布後でも種子捕捉領域の面積が狭まらず、空中散布前と略同じ面積の種子捕捉領域を確保することができる。（２）他の形状のものに比べて転がり難い（落下後の自重による移動を極力抑えることができる）。（３）円柱状、楕円形状等の他の形状のものに比べて、突起８に、より引っかかり易い。
【符号の説明】
【００３１】
１          平面視形状が環状に成形されている植生袋体
２          肥料
３          保水材
４          植生基材
５          袋体本体
Ｎ          緑化対象地
Ｓ          種子捕捉領域
Ｓ1 ，Ｓ2   植物生育領域
【図１】
0005511612.tif 000002
【図２】
0005511612.tif 000003
【図３】
0005511612.tif 000004
【図５】
0005511612.tif 000005
【図４】
0005511612.tif 000006